(57)【特許請求の範囲】
【請求項１】
台座を介して係止アームを揺動可能に取り付けるとともに、該係止アームを係止部材の溝にスライド可能に掛け止めるドアガード装置において、前記係止部材が、両側にラックを形成した凸部を有する受け座と、受け座の凸部に出没可能に外嵌された可動ベースと、可動ベースの両端に開閉可能に枢着され、閉じ位置で係止部材の溝を形成する１対のフック部材と、フック部材の枢着部の外周に形成され、受け座のラックと噛合する歯車とを備え、可動ベースの退入位置でフック部材が開き、突出位置でフック部材が閉じるようにラックと歯車を噛合させるとともに、可動ベースを突出位置で固定するロック機構を設けたことを特徴とするドアガード装置。
【請求項２】
可動ベースに、係止アームと磁力で引き合うことにより可動ベースを突出位置に移動させるマグネットを設けたことを特徴とする請求項１記載のドアガード装置。
【請求項３】
フック部材の枢着部に、受け座の凸部に当接することによりフック部材を閉じ位置に位置決めするストッパ片を設けたことを特徴とする請求項１又は２記載のドアガード装置。
【発明の詳細な説明】
【技術分野】
【０００１】
本発明は、玄関等のドアを半開きの状態でロックすることができるドアガード装置に関し、特に、係止アームを掛け止める係止部材を使用するときに突出させることにより、出入りの邪魔にならないようにするとともに、玄関の見栄えを向上させるようにしたドアガード装置に関するものである。
【背景技術】
【０００２】
従来、玄関ドア等の防犯用として、ドア本体に取り付けたシリンダー錠とは別に、防犯の用心鎖としてドアガード装置が設置されている。
ドアガード装置は、例えば、下記特許文献１に記載されるように、ドアの先端部の内側に、略水平に揺動可能に取り付けられたＵ字状の係止アームと、ドアフレーム側に固定され、係止アームの溝にスライド可能に掛け止められる大径頭部の係止ピンとを備えている。
そして、係止アームの溝に係止ピンを挿入した状態でドアを開くと、ドアは係止ピンが係止アームの溝を移動する範囲内でしか開くことができず、半開きの状態でロックすることができる。
【０００３】
しかし、このドアガード装置では、係止アームをＵ字状に形成するとともに、係止ピンの頭部を挿入するために、係止アームの溝を基部で部分的に広く形成する必要があることから、ロストワックス法やダイキャスト法による鋳造で係止アームを製造しなければならず、製品強度及び製造コストの点で問題があった。
【０００４】
そこで、本件出願人は、先に、新たな形状の係止アームを備えたドアガード装置を提案している（特願２００７−２４０５５１）。
このドアガード装置は、例えば、図１０に示すように、ドアＤの先端部の内側に、台座１を介して略水平に揺動可能に取り付けられた係止アーム２と、ドアフレームＦ側に固定され、係止アーム２をチャネル状の溝３にスライド可能に掛け止める係止部材４とを備えている。
そして、係止アーム２を係止部材４の溝３に挿入した状態でドアＤを開くと、ドアＤは係止アーム２が係止部材４の溝３を移動する範囲内でしか開くことができず、半開きの状態でロックすることができる。
【０００５】
係止アームは、図５に示すように、被枢着部２３を形成した金属材料からなる横板部材２４と、ドアを所定角度開いたときに係止部材４が当接する屈曲部２２を曲げ加工により形成した金属材料からなる縦板部材２５とからなり、これら横板部材２４と縦板部材２５とを溶接で一体化することにより安価に製造されている。
【０００６】
しかしながら、このドアガード装置では、係止部材４がドアフレームＤからその内側に突出していることから、人が出入りする際に体や荷物に当たったり、玄関の見栄えを損ねるという問題があった。
【特許文献１】特開２００１−１４０５２６号公報
【発明の開示】
【発明が解決しようとする課題】
【０００７】
本発明は、上記のドアガード装置が有する問題点に鑑み、係止部材を使用するときに突出させることにより、出入りの邪魔にならないようにするとともに、玄関の見栄えを向上させることができるドアガード装置を提供することを目的とする。
【課題を解決するための手段】
【０００８】
上記目的を達成するため、本発明のドアガード装置は、台座を介して係止アームを揺動可能に取り付けるとともに、該係止アームを係止部材の溝にスライド可能に掛け止めるドアガード装置において、前記係止部材が、両側にラックを形成した凸部を有する受け座と、受け座の凸部に出没可能に外嵌された可動ベースと、可動ベースの両端に開閉可能に枢着され、閉じ位置で係止部材の溝を形成する１対のフック部材と、フック部材の枢着部の外周に形成され、受け座のラックと噛合する歯車とを備え、可動ベースの退入位置でフック部材が開き、突出位置でフック部材が閉じるようにラックと歯車を噛合させるとともに、可動ベースを突出位置で固定するロック機構を設けたことを特徴とする。
【０００９】
この場合において、可動ベースに、係止アームと磁力で引き合うことにより可動ベースを突出位置に移動させるマグネットを設けることができる。
【００１０】
また、フック部材の枢着部に、受け座の凸部に当接することによりフック部材を閉じ位置に位置決めするストッパ片を設けることができる。
【発明の効果】
【００１１】
本発明のドアガード装置によれば、台座を介して係止アームを揺動可能に取り付けるとともに、該係止アームを係止部材の溝にスライド可能に掛け止めるドアガード装置において、前記係止部材が、両側にラックを形成した凸部を有する受け座と、受け座の凸部に出没可能に外嵌された可動ベースと、可動ベースの両端に開閉可能に枢着され、閉じ位置で係止部材の溝を形成する１対のフック部材と、フック部材の枢着部の外周に形成され、受け座のラックと噛合する歯車とを備え、可動ベースの退入位置でフック部材が開き、突出位置でフック部材が閉じるようにラックと歯車を噛合させるとともに、可動ベースを突出位置で固定するロック機構を設けたことから、可動ベースを突出位置と退入位置とに選択的に移動させ、フック部材を開閉することにより、係止部材を普段は退入させ、使用するときに突出させることができ、出入りの邪魔にならないようにするとともに、玄関の見栄えを向上させることができ、また、可動ベースを突出位置で固定するロック機構を設けることにより、閉じたフック部材をその状態で固定し、フック部材が不用意に開くことによる係止アームの抜けを防止することができる。
【００１２】
この場合、可動ベースに、係止アームと磁力で引き合うことにより可動ベースを突出位置に移動させるマグネットを設けることにより、係止アームを近づけることで自動的に係止部材を突出させることができる。
【００１３】
また、フック部材の枢着部に、受け座の凸部に当接することによりフック部材を閉じ位置に位置決めするストッパ片を設けることにより、フック部材を一定の閉じ位置で止めるとともに、止められたフック部材の歯車とラックの噛合により、可動ベースを同時に位置決めし、受け座からの抜け止めとすることができる。
【発明を実施するための最良の形態】
【００１４】
以下、本発明のドアガード装置の実施の形態を、図面に基づいて説明する。
【実施例１】
【００１５】
図１〜図５に、本発明のドアガード装置の第１実施例を示す。
このドアガード装置は、ドアＤの先端部内側に、台座１を介して略水平に揺動可能に取り付けられた係止アーム２と、ドアフレームＦ側に固定され、係止アーム２をチャネル状の溝３にスライド可能に掛け止める係止部材４とを備え、ドアＤの開きを係止アーム２が係止部材４の溝３を移動する範囲内に留めることにより、ドアＤを半開きの状態でロックするようにしている（例えば、図１０参照）。
そして、このドアガード装置は、係止部材４が、両側にラック５１を形成した凸部５２を有する受け座５と、受け座５の凸部５２に出没可能に外嵌された可動ベース６と、可動ベース６の両端に開閉可能に枢着され、閉じ位置で係止部材４の溝３を形成する１対のフック部材７と、フック部材７の枢着部の外周に形成され、受け座５のラック５１と噛合する歯車８とを備え、可動ベース６の退入位置でフック部材７が開き、突出位置でフック部材７が閉じるようにラック５１と歯車８を噛合させている。
【００１６】
係止アーム２は、台座１と共に鉄等の磁性体金属からなり、図５に示すように、断面Ｔ字状に形成されている。
係止アーム２は、台座１への被枢着部２３を形成した金属材料からなる横板部材２４と、ドアを所定角度開いたときに係止部材４が当接する屈曲部２２を曲げ加工により形成した金属材料からなる縦板部材２５とからなり、これら横板部材２４と縦板部材２５とを溶接で一体化することにより、安価に製造されている。
係止アーム２の基部は細幅に形成されており、係止アーム２は、この細幅部２１で係止部材４の溝３に挿入されるとともに、先端の屈曲部２２で溝３内のスライド移動が阻止される。
係止アーム２は、ドアを閉めた状態で、ドアの内面に沿う収納位置から約９０°起こすことにより、その基部が係止部材４の溝３に挿入される。
【００１７】
一方、係止部材４の受け座５は、ドアフレーム（図示省略）に固定されている。
受け座５の凸部５２は、両側にラック５１を備えるとともに、凸部５２の前部には、可動ベース６を突出位置で固定するロック機構としてのキー溝５３が形成されている。
キー溝５３は、中央の縦溝５３ａと、縦溝５３ａの上部で左右に延設された２条の横溝５３ｂとを備え、図３に示すように、可動ベース６に設けた上下２段のキー６３を左右いずれかに振り、縦溝５３ａから横溝５３ｂに移動させることにより、可動ベース６を突出位置で固定することができる。
【００１８】
可動ベース６は、前後１対のプレート６１、６２からなり、両端にフック部材７をそれぞれ軸支している。
また、可動ベース６の前部プレート６１には、ロック機構としてのキー６３の操作部６３ａが横方向に移動可能に嵌挿される上下２段の切欠６４が形成されている。
なお、キー６３は、平板状の本体が、前部プレートと受け座５の凸部５２との間に挟まれることで支持されており、切欠６４の範囲で左右に移動することができる。
【００１９】
本実施例では、可動ベース６を手で押し上げることにより突出位置に移動させ、これにより、フック部材７を閉じるように突出させる。
また、突出した可動ベース６は、手で押し下げることにより退入位置に復帰させ、フック部材７を開いて退入位置に戻すようにする。
【００２０】
フック部材７は、可動ベース６の両端に開閉可能に枢着された左右１対のＬ字状のものからなり、閉じ位置で突出して係止部材４の溝３を形成するとともに、開き位置で受け座５の凸部５２と同程度の高さに退入する。
フック部材７の枢着部の外周には、受け座５のラック５１と噛合する歯車８と、歯車８に隣接して形成され、受け座５の凸部５２に当接することによりフック部材７を閉じ位置に位置決めするストッパ片１０とが設けられている。
フック部材７の歯車８は、可動ベース６の退入位置でフック部材７が開き、かつ可動ベース６の突出位置でフック部材７が閉じるようにラック５１に噛合されている。
【００２１】
次に、本実施例のドアガード装置の動作を説明する。
ドアガード装置を使用しないときは、図１（ｂ）に示すように、可動ベース６及びフック部材７は退入位置にある。
ドアガード装置を使用するときは、図１（ａ）に示すように、手動で可動ベース６を退入位置から突出位置に移動させる。
この可動ベース６の移動に伴い、受け座５のラック５１がフック部材７の歯車８を回転させ、フック部材７を開き位置から閉じ位置に揺動させる。
この場合、フック部材７は閉じ位置に揺動するとともに、可動ベース６の移動により係止アーム２側に近づいた突出位置に移動している。
【００２２】
そして、ドアを閉止した状態で係止アーム２を起こし、フック部材７で形成された係止部材４の溝３に挿入する。
また、係止アーム２を係止部材４の溝３から外した後は、図１（ｂ）に示すように、可動ベース６を手で押し下げることにより退入位置に復帰させ、フック部材７を開いて退入位置に戻すことができる。
【００２３】
かくして、本実施例のドアガード装置は、台座１を介して係止アーム２を揺動可能に取り付けるとともに、該係止アーム２を係止部材４の溝３にスライド可能に掛け止めるドアガード装置において、前記係止部材４が、両側にラック５１を形成した凸部５２を有する受け座５と、受け座５の凸部５２に出没可能に外嵌された可動ベース６と、可動ベース６の両端に開閉可能に枢着され、閉じ位置で係止部材４の溝３を形成する１対のフック部材７と、フック部材７の枢着部の外周に形成され、受け座５のラック５１と噛合する歯車８とを備え、可動ベース６の退入位置でフック部材７が開き、突出位置でフック部材７が閉じるようにラック５１と歯車８を噛合させるとともに、可動ベース６を突出位置で固定するロック機構を設けたことから、可動ベース６を突出位置と退入位置とに選択的に移動させ、フック部材７を開閉することにより、係止部材４を普段は退入させ、使用するときに突出させることができ、出入りの邪魔にならないようにするとともに、玄関の見栄えを向上させることができ、また、可動ベース６を突出位置で固定するロック機構を設けることにより、閉じたフック部材７をその状態で固定し、フック部材７が不用意に開くことによる係止アーム２の抜けを防止することができる。
【００２４】
また、フック部材７の枢着部に、受け座５の凸部５２に当接することによりフック部材７を閉じ位置に位置決めするストッパ片１０を設けることにより、フック部材７を一定の閉じ位置で止めるとともに、止められたフック部材７の歯車８とラック５１の噛合により、可動ベース６を同時に位置決めし、受け座５からの抜け止めとすることができる。
【実施例２】
【００２５】
図６〜図９に、本発明のドアガード装置の第２実施例を示す。
このドアガード装置は、ドアＤの先端部内側に、台座１を介して略水平に揺動可能に取り付けられた係止アーム２と、ドアフレームＦ側に固定され、係止アーム２をチャネル状の溝３にスライド可能に掛け止める係止部材４とを備え、ドアＤの開きを係止アーム２が係止部材４の溝３を移動する範囲内に留めることにより、ドアＤを半開きの状態でロックするようにしている（例えば、図１０参照）。
そして、このドアガード装置は、係止部材４が、両側にラック５１を形成した凸部５２を有する受け座５と、受け座５の凸部５２に出没可能に外嵌された可動ベース６と、可動ベース６の両端に開閉可能に枢着され、閉じ位置で係止部材４の溝３を形成する１対のフック部材７と、フック部材７の枢着部の外周に形成され、受け座５のラック５１と噛合する歯車８と、可動ベース６に設けられ、係止アーム２と磁力で引き合うことにより可動ベース６を突出位置に移動させるマグネット９とを備え、可動ベース６の退入位置でフック部材７が開き、突出位置でフック部材７が閉じるようにラック５１と歯車８を噛合させている。
【００２６】
係止アーム２は、台座１と共に鉄等の磁性体金属からなり、図５に示すように、断面Ｔ字状に形成されている。
係止アーム２は、台座１への被枢着部２３を形成した金属材料からなる横板部材２４と、ドアを所定角度開いたときに係止部材４が当接する屈曲部２２を曲げ加工により形成した金属材料からなる縦板部材２５とからなり、これら横板部材２４と縦板部材２５とを溶接で一体化することにより、安価に製造されている。
係止アーム２の基部は細幅に形成されており、係止アーム２は、この細幅部２１で係止部材４の溝３に挿入されるとともに、先端の屈曲部２２で溝３内のスライド移動が阻止される。
係止アーム２は、ドアを閉めた状態で、ドアの内面に沿う収納位置から約９０°起こすことにより、その基部が係止部材４の溝３に挿入される。
【００２７】
一方、係止部材４の受け座５は、ドアフレーム（図示省略）に固定されている。
受け座５の凸部５２は、両側にラック５１を備えるとともに、凸部５２の前部には、可動ベース６を突出位置で固定するロック機構としてのキー溝５３が形成されている。
キー溝５３は、中央の縦溝５３ａと、縦溝５３ａの上部で左右に延設された２条の横溝５３ｂとを備え、図８に示すように、可動ベース６に設けた上下２段のキー６３を左右いずれかに振り、縦溝５３ａから横溝５３ｂに移動させることにより、可動ベース６を突出位置で固定することができる。
また、凸部５２の後部には、可動ベース６のマグネット９を摺動可能に収容するガイド溝５４が形成されている。
【００２８】
可動ベース６は、前後１対のプレート６１、６２からなり、両端にフック部材７をそれぞれ軸支するとともに、後部プレート６２の上部中央にマグネット９を固定している。
また、可動ベース６の前部プレート６１には、ロック機構としてのキー６３の操作部６３ａが横方向に移動可能に嵌挿される上下２段の切欠６４が形成されている。
なお、キー６３は、平板状の本体が、前部プレートと受け座５の凸部５２との間に挟まれることで支持されており、切欠６４の範囲で左右に移動することができる。
【００２９】
フック部材７は、可動ベース６の両端に開閉可能に枢着された左右１対のＬ字状のものからなり、閉じ位置で突出して係止部材４の溝３を形成するとともに、開き位置で受け座５の凸部５２と同程度の高さに退入する。
フック部材７の枢着部の外周には、受け座５のラック５１と噛合する歯車８と、歯車８に隣接して形成され、受け座５の凸部５２に当接することによりフック部材７を閉じ位置に位置決めするストッパ片１０とが設けられている。
フック部材７の歯車８は、可動ベース６の退入位置でフック部材７が開き、かつ可動ベース６の突出位置でフック部材７が閉じるようにラック５１に噛合されている。
【００３０】
マグネット９は、可動ベース６の後部プレート６２に固定されており、係止アーム２又はその台座１と磁力で引き合うことにより、可動ベース６を突出位置に移動させる。
なお、突出した可動ベース６は、本実施例では手で押し下げることにより退入位置に復帰し、フック部材７を開いて退入位置に戻すことができる。
【００３１】
次に、本実施例のドアガード装置の動作を説明する。
ドアガード装置を使用しないときは、図６（ｂ）に示すように、可動ベース６及びフック部材７は退入位置にある。
ドアガード装置を使用するときは、ドアを閉止した状態で、係止アーム２を係止部材４の溝３に挿入するために約９０°起こすと、図６（ａ）に示すように、可動ベース６のマグネット９が係止アーム２と引き合って可動ベース６が退入位置から突出位置に移動する。
この可動ベース６の移動に伴い、受け座５のラック５１がフック部材７の歯車８を回転させ、フック部材７を開き位置から閉じ位置に揺動させる。
この場合、フック部材７は閉じ位置に揺動するとともに、可動ベース６の移動により係止アーム２側に近づいた突出位置に移動している。
【００３２】
また、係止アーム２を係止部材４の溝３から外した後は、図６（ｂ）に示すように、可動ベース６を手で押し下げることにより退入位置に復帰させ、フック部材７を開いて退入位置に戻すことができる。
【００３３】
かくして、本実施例のドアガード装置は、台座１を介して係止アーム２を揺動可能に取り付けるとともに、該係止アーム２を係止部材４の溝３にスライド可能に掛け止めるドアガード装置において、前記係止部材４が、両側にラック５１を形成した凸部５２を有する受け座５と、受け座５の凸部５２に出没可能に外嵌された可動ベース６と、可動ベース６の両端に開閉可能に枢着され、閉じ位置で係止部材４の溝３を形成する１対のフック部材７と、フック部材７の枢着部の外周に形成され、受け座５のラック５１と噛合する歯車８と、可動ベース６に設けられ、係止アーム２と磁力で引き合うことにより可動ベース６を突出位置に移動させるマグネット９とを備え、可動ベース６の退入位置でフック部材７が開き、突出位置でフック部材７が閉じるようにラック５１と歯車８を噛合させるとともに、可動ベース６を突出位置で固定するロック機構を設けることから、可動ベース６を突出位置と退入位置とに選択的に移動させ、フック部材７を開閉することにより、係止部材４を普段は退入させ、使用するときに自動的に突出させることができ、出入りの邪魔にならないようにするとともに、玄関の見栄えを向上させることができ、また、可動ベース６を突出位置で固定するロック機構を設けることにより、閉じたフック部材７をその状態で固定し、フック部材７が不用意に開くことによる係止アーム２の抜けを防止することができる。
【００３４】
また、フック部材７の枢着部に、受け座５の凸部５２に当接することによりフック部材７を閉じ位置に位置決めするストッパ片１０を設けることにより、フック部材７を一定の閉じ位置で止めるとともに、止められたフック部材７の歯車８とラック５１の噛合により、可動ベース６を同時に位置決めし、受け座５からの抜け止めとすることができる。
【００３５】
以上、本発明のドアガード装置について、その実施例に基づいて説明したが、本発明は上記実施例に記載した構成に限定されるものではなく、その趣旨を逸脱しない範囲において適宜その構成を変更することができる。
【産業上の利用可能性】
【００３６】
本発明のドアガード装置は、係止アームを掛け止める係止部材を使用するときに突出させるという特性を有していることから、出入りの邪魔にならず、玄関の見栄えを向上させるドアガード装置として広く好適に用いることができる。
【図面の簡単な説明】
【００３７】
【図１】本発明のドアガード装置の第１実施例を示し、（ａ）はフック部材を閉じ位置にした係止部材の３面図、（ｂ）はフック部材を開き位置にした係止部材の３面図である。
【図２】同係止部材を示し、（ａ）はフック部材を閉じ位置にした透視図、（ｂ）はフック部材を開き位置にした透視図、（ｃ）は閉じ位置にしたフック部材の正面図、（ｄ）は開き位置にしたフック部材の正面図である。
【図３】（ａ）は係止部材の受け座を示す正面図、（ｂ）はキーを横溝に移動させた係止部材の平面透視図、（ｃ）はキーを縦溝に移動させる途中の係止部材の平面透視図、（ｄ）はキーを縦溝に移動させた係止部材の平面透視図である。
【図４】（ａ）は可動ベースの前部プレートを示す２面図、（ｂ）は同後部プレートを示す２面図、（ｃ）はフック部材の３面図、（ｄ）は受け座の５面図である。
【図５】係止アームを示す５面図である。
【図６】本発明のドアガード装置の第２実施例を示し、（ａ）はフック部材を閉じ位置にした係止部材の３面図、（ｂ）はフック部材を開き位置にした係止部材の３面図である。
【図７】同係止部材を示し、（ａ）はフック部材を閉じ位置にした透視図、（ｂ）はフック部材を開き位置にした透視図、（ｃ）は閉じ位置にしたフック部材の正面図、（ｄ）は開き位置にしたフック部材の正面図である。
【図８】（ａ）は係止部材の受け座を示す正面図、（ｂ）はキーを横溝に移動させた係止部材の平面透視図、（ｃ）はキーを縦溝に移動させる途中の係止部材の平面透視図、（ｄ）はキーを縦溝に移動させた係止部材の平面透視図である。
【図９】（ａ）は可動ベースの前部プレートを示す２面図、（ｂ）は同後部プレートを示す２面図、（ｃ）はフック部材の３面図、（ｄ）は受け座の５面図である。
【図１０】ドアガード装置の取付状態を示し、（ａ）は係止アームと係止部材を示す正面図、（ｂ）は係止アームを係止部材に掛止した状態を示す平面図、（ｃ）は係止アームを係止部材に掛止した状態でドアを開いた平面図、（ｄ）はドアガード装置を解錠して係止アームを係止部材から抜いた状態を示す平面図である。
【符号の説明】
【００３８】
１    台座
２    係止アーム
２１  細幅部
２２  屈曲部
２３  被枢着部
２４  横板部材
２５  縦板部材
３    溝
４    係止部材
５    受け座
５１  ラック
５２  凸部
５３  キー溝（ロック機構）
５３ａ  縦溝
５３ｂ  横溝
５４  ガイド溝
６    可動ベース
６１  前部プレート
６２  後部プレート
６３  キー（ロック機構）
６３ａ  操作部
６４  切欠
７    フック部材
８    歯車
９    マグネット
１０  ストッパ片
【要約】
【課題】係止部材を使用するときに突出させることにより、出入りの邪魔にならないようにするとともに、玄関の見栄えを向上させることができるドアガード装置を提供すること。
【解決手段】ドアガード装置の係止部材４が、両側にラック５１を形成した凸部５２を有する受け座５と、受け座５の凸部５２に出没可能に外嵌された可動ベース６と、可動ベース６の両端に開閉可能に枢着され、閉じ位置で係止部材４の溝３を形成する１対のフック部材７と、フック部材７の枢着部の外周に形成され、受け座５のラック５１と噛合する歯車８とを備え、可動ベース６の退入位置でフック部材７が開き、突出位置でフック部材７が閉じるようにラック５１と歯車８を噛合させるとともに、可動ベース６を突出位置で固定するロック機構５３、６３を設ける。
【選択図】図１【図１】
0004118943.tif 000002
【図２】
0004118943.tif 000003
【図３】
0004118943.tif 000004
【図４】
0004118943.tif 000005
【図５】
0004118943.tif 000006
【図６】
0004118943.tif 000007
【図７】
0004118943.tif 000008
【図８】
0004118943.tif 000009
【図９】
0004118943.tif 000010
【図１０】
0004118943.tif 000011